(57)【要約】【課題】鼻板に描かれた墨出し線に沿って容易に取り付けることの可能な軒樋支持具、およびこの支持具を用いて軒樋を水勾配を取って見栄えよく支持することができる施工方法を提供する。【解決手段】貫通固定孔１１が設けられ、鼻板５に固定される平板状の固定用座板１と軒樋６を支持する支持部２とからなる軒樋支持具Ａを用い、水勾配を取って鼻板５に描かれた墨出し線Ｌに上記固定用座板１の左右側部のいずれかに設けられた水平方向目印部３を合わせ、段下がりに上記固定用座板１を鼻板５に固定する軒樋支持具の施工方法。【選択図】図３
2008196284.tif 000002
【特許請求の範囲】
【請求項１】
貫通固定孔が設けられ、鼻板に固定される平板状の固定用座板と軒樋を支持する支持部とからなる軒樋支持具であって、上記固定用座板の左右側部のいずれかには水平方向目印部が設けられた軒樋支持具。
【請求項２】
上記固定用座板の上下端部のいずれかには垂直方向目印部が設けられた請求項１に記載の軒樋支持具。
【請求項３】
貫通固定孔が設けられ、鼻板に固定される平板状の固定用座板と軒樋を支持する支持部とからなる軒樋支持具を用い、水勾配を取って鼻板に描かれた墨出し線に上記固定用座板の左右側部のいずれかに設けられた水平方向目印部を合わせ、段下がりに上記固定用座板を鼻板に固定する軒樋支持具の施工方法。
【請求項４】
貫通固定孔が設けられ、鼻板に固定される平板状の固定用座板と軒樋を支持する支持部とからなる軒樋支持具を用い、水勾配を取って鼻板に描かれた墨出し線および該墨出し線上に一定間隔で設けられた縦目印に、上記固定用座板の左右側部のいずれかに設けられた水平方向目印部と上下端部のいずれかに設けられた垂直方向目印部とを合わせ、段下がりに上記固定用座板を鼻板に固定する軒樋支持具の施工方法。
【発明の詳細な説明】
【技術分野】
【０００１】
本発明は、軒樋支持具および該軒樋支持具を用いる施工方法に関する。さらに詳しくは、雨水を集水器に向けて流れ易くするように、軒樋に水勾配をつけて軒樋を支持する軒樋支持具およびその施工方法に関する。
【背景技術】
【０００２】
住宅の軒先に軒樋を取り付ける場合、通常、屋根の鼻板に軒樋受け金具や軒樋吊り具等の軒樋支持具を取り付け、これらの支持具によって軒樋は軒先に支持される。このとき、上記軒樋支持具の鼻板取付け基端部は、一定間隔をおいて、かつ、水勾配を取って釘やビス等の固着手段により鼻板に固定される。
【０００３】
上記鼻板取付け基端部の取付けピッチは作業現場によって異なり、また、軒樋の中を雨水が集水器に向けて容易に流れるように水勾配を取る必要があるため、通常、わずかに勾配をつけた墨出し線を鼻板に描いたり、道糸を張り、これらの基準線に沿って上記鼻板取付け基端部は鼻板に固定される。しかしながら、この作業は上下の位置調整や微妙な傾きの調整を行って、見栄えよく鼻板に鼻板取付け基端部を取り付けなければならず、熟練した作業者の技術を要する。
【０００４】
そこで、下記特許文献１には、上記鼻板取付け基端部の裏面に凹所を形成し、該凹所の左右両側からバネ性のある薄肉の遊離片を突設するとともに、この遊離片間にスリットを形成し、このスリットで仮固定用の釘やビス等の固着具を弾性挟持して鼻板に張った道糸を規準としてレベル出しが行える軒樋支持具が開示されている。そして、上記のようにしてレベル出しを行い、仮固定された上記固着具に対して弾性係止しているスリットを上下して微調整し、その後、本固定することにより、軒樋支持具の上下の位置を道糸の傾きに合わせて正しく取り付けられるとの効果が記載されている。
【特許文献１】特開２００６−２０７１９７号公報（第１〜３頁、第１図、第２図）
【発明の開示】
【発明が解決しようとする課題】
【０００５】
しかしながら、上記特許文献１に記載の軒樋支持具は鼻板取付け基端部にバネ性のある遊離片を複合させなければならず、構造が複雑であり、製造コストも嵩むという問題がある。また、一旦スリットを上下して微調整し、仮固定した後、本固定しなければならず、作業性が悪いという問題もある。
【０００６】
本発明はこのような問題を解決して、鼻板に描かれた墨出し線に沿って容易に取り付けることの可能な軒樋支持具、およびこの支持具を用いて軒樋を水勾配を取って見栄えよく支持することができる施工方法を提供することをその課題とする。
【課題を解決するための手段】
【０００７】
上記課題を解決するために、本発明においては、つぎのような技術的手段を講じている。すなわち、請求項１に記載の発明によれば、貫通固定孔が設けられ、鼻板に固定される平板状の固定用座板と軒樋を支持する支持部とからなる軒樋支持具であって、上記固定用座板の左右側部のいずれかには水平方向目印部が設けられた軒樋支持具が提供される。軒樋支持具としては、とくに限定されず、軒樋を下から受けて支持する支持具タイプ、軒樋の前側縁と後側縁との間に挿入し弾性的に挟持して吊る吊り具タイプのもの等があげられる。また、上記水平方向目印部としては、とくに限定されず凸部を突設してもよく、また、凹部を設けてもよい。
【０００８】
請求項２に記載の軒樋支持具は、請求項１に記載の発明に加えて、上記固定用座板の上下端部のいずれかには垂直方向目印部が設けられる。
【０００９】
請求項３に記載の軒樋支持具の施工方法は、貫通固定孔が設けられ、鼻板に固定される平板状の固定用座板と軒樋を支持する支持部とからなる軒樋支持具を用い、水勾配を取って鼻板に描かれた墨出し線に上記固定用座板の左右側部のいずれかに設けられた水平方向目印部を合わせて段下がりに上記固定用座板を鼻板に固定する軒樋支持具の施工方法が提供される。
【００１０】
請求項４に記載の軒樋支持具の施工方法は、貫通固定孔が設けられ、鼻板に固定される平板状の固定用座板と軒樋を支持する支持部とからなる軒樋支持具を用い、水勾配を取って鼻板に描かれた墨出し線および該墨出し線上に一定間隔で設けられた縦目印に、上記固定用座板の左右側部のいずれかに設けられた水平方向目印部と上下端部のいずれかに設けられた垂直方向目印部とを合わせ、段下がりに上記固定用座板を鼻板に固定する軒樋支持具の施工方法が提供される。
【発明の効果】
【００１１】
請求項１に記載の発明にかかる軒樋支持具は上記のとおりであり、貫通固定孔が設けられた固定用座板と軒樋を支持する支持部とからなり、上記固定用座板の左右側部のいずれかには水平方向目印部、例えば凸部を突設されているため、この凸部を鼻板に描かれた墨出し線に合わせることにより、容易に位置調整を行うことができる。
【００１２】
請求項２に記載の軒樋支持具は上記のとおりであり、請求項１の軒樋支持具の有する効果に加え、上記固定用座板の上下端部のいずれかには垂直方向目印部が設けられているため、墨出し線の上に設けられた縦目印に垂直方向目印部を合わせることにより、容易に位置調整を行うことができる。
【００１３】
請求項３に記載の軒樋支持具の施工方法は上記のとおりであり、貫通固定孔が設けられた固定用座板と軒樋を支持する支持部とからなる軒樋支持具を用い、水勾配を取って鼻板に描かれた墨出し線に上記固定用座板の左右側部のいずれかに設けられた水平方向目印部を合わせて貫通固定孔を挿通する固着手段によって段下がりに固定用座板を鼻板に固定するため、支持される軒樋には水勾配が取られ、雨水を集水器に向けてスムースに流すことができる。
【００１４】
請求項４に記載の軒樋支持具の施工方法は上記のとおりであり、貫通固定孔が設けられた固定用座板と軒樋を支持する支持部とからなる軒樋支持具を用い、水勾配を取って鼻板に描かれた墨出し線および該墨出し線上に一定間隔で設けられた縦目印に、上記固定用座板の左右側部のいずれかに設けられた水平方向目印部と上下端部のいずれかに設けられた垂直方向目印部とを合わせ、段下がりに上記固定用座板を鼻板に固定するため、地域や気候等の違いに合わせ、また施工現場の軒樋の長さに合わせて任意に取付け間隔を設定し、水勾配を取って見栄えよく軒樋を鼻板に取り付けることができる。
【発明を実施するための最良の形態】
【００１５】
以下、本発明について図面を参照して詳細に説明する。図１は、軒樋を下から受けて鼻板に取り付ける軒樋受け金具を用いた本発明の一実施形態にかかる軒樋支持具Ａを示す斜視図である。図１に示すように、軒樋支持具Ａは固定用座板１と支持部２とからなり、固定用座板１の右側部には水平方向目印部３としての凸部が突設されている。また、上記固定用座板１にはこの固定用座板１を図示しない鼻板に固定するため、釘、ビス等の固着具を挿通させる４個の貫通孔１１が設けられている。図２は、図１に示す水平方向目印部３としての凸部に加えて固定用座板１の下部に垂直方向目印部４としての凸部が突設された他の実施形態にかかる軒樋支持具Ｂを示す斜視図である。
【００１６】
つぎに、本発明の軒樋支持具の施工方法について説明する。図３は、墨出し線Ｌが描かれた鼻板５に上記軒樋支持具Ａを取り付ける方法を示す説明図である。図３に示すように、水勾配を取って描かれた墨出し線Ｌに固定用座板１の右側面に突設された水平方向目印部３を合わせ、位置調整を行い粘着テープ等で仮固定する。同様にして、所要の数の固定用座板１をその水平方向目印部３を墨出し線Ｌに合わせて仮固定し、最後に釘、ビス等を貫通固定孔１１に挿通、固着させ、固定用座板１を鼻板５に固定する。このようにすることにより、軒樋支持具Ａを段下がりに水勾配を取って鼻板５にしっかりと取り付けることができる。
【００１７】
図４は、墨出し線Ｌ上に一定間隔で設けられた縦目印Ｍに合わせて、上記軒樋支持具Ｂを取り付ける方法を示す説明図である。図４に示すように、水勾配を取って描かれた墨出し線Ｌに固定用座板１の右側面に突設された水平方向目印部３を合わせ、上記縦目印Ｍに垂直方向目印部４を合わせて位置調整を行い粘着テープ等で仮固定する。同様にして、所要の数の固定用座板１をその水平方向目印部３を墨出し線Ｌに合わせるとともに、垂直方向目印部４を縦目印Ｍに合わせて仮固定し、最後に釘、ビス等を貫通固定孔１１に挿通、固着させ、固定用座板１を鼻板５に固定する。
【００１８】
このようにすることにより、軒樋支持具Ｂを一定間隔で見栄えよく鼻板５に固定することが可能であり、かつ、段下がりに水勾配を取って鼻板５にしっかりと取り付けることができる。図５は上記軒樋支持具Ｂを用い、軒樋６を矢印の方向に水勾配を取って鼻板５に取り付けた状態を示す斜視図である。
【００１９】
なお、上記した軒樋支持具の施工方法において固定用座板１は鼻板５に平行に取り付けられているが、墨出し線Ｌそのものに平行に取り付けてもよい。この場合、墨出し線Ｌの水勾配は極めて緩やかであるため、固定用座板１は鼻板５に略平行となるため外観上の問題はなく、施工上の作業性のよい方を選べばよい。また、墨出し線Ｌの水勾配および墨出し線Ｌに設けられる縦目印Ｍのピッチ等は、地域や気候等の違いに合わせて任意に設定可能である。このように本発明は設計変更自在であり、特許請求の範囲を逸脱しない限り、本発明の技術的範囲に属する。
【図面の簡単な説明】
【００２０】
【図１】本発明の一実施形態にかかる軒樋支持具を示す斜視図である。
【図２】本発明の他の実施形態にかかる軒樋支持具を示す斜視図である。
【図３】図１に示す軒樋支持具を墨出し線が描かれた鼻板に取り付ける方法を示す説明図である。
【図４】図２に示す軒樋支持具を墨出し線および墨出し線上に一定間隔で設けられた縦目印が描かれた鼻板に取り付ける方法を示す説明図である。
【図５】本発明にかかる軒樋支持具を用いて軒樋を鼻板に取り付けた状態を示す斜視図である。
【符号の説明】
【００２１】
Ａ          本発明の一実施形態にかかる軒樋支持具
Ｂ          本発明の他の実施形態にかかる軒樋支持具
Ｌ          墨出し線
Ｍ          縦目印
１          固定用座板
１１        貫通孔
２          支持部
３          水平方向目印部
４          垂直方向目印部
５          鼻板
６          軒樋
【図１】
2008196284.tif 000003
【図２】
2008196284.tif 000004
【図３】
2008196284.tif 000005
【図４】
2008196284.tif 000006
【図５】
2008196284.tif 000007